(57)【要約】【課題】  自動車側面に突出したドアミラー等を検出し、ドアミラー等が洗車装置本体に接触する前に洗車動作を停止して、ドアミラー等に損傷を与えるのを確実に防止できると共に、洗車を停止した場合に、その状態を利用者に明示できるようにした洗車装置を提供する。【解決手段】  洗車装置本体の前面より前方で且つ洗車装置本体の内面より内側に突出した位置に、自動車のドアミラーの位置に相当する高さ範囲に棒状体を設け、この棒状体に発光素子を設けて点灯表示できるものとし、棒状体の変位によりドアミラー等との接触を検出して洗車動作の一部又は全部を停止させると共に、発光素子を点灯操作して利用者に異常等の状態を表示するよう制御する。【選択図】  図３
2018103919.tif 000002
【特許請求の範囲】
【請求項１】
自動車を跨ぐように走行する門型の洗車装置本体に放水装置等を備え、洗車装置本体の走行に伴い自動車の車体面を洗浄する洗車装置であって、洗車装置へ進入する手前に設置され、洗車内容選択、料金投入等の洗車入力を受け付ける受付ユニットを備え、該受付ユニットで受付を終えた自動車が洗車装置の前方から進入し、洗車が終わると自動車は洗車装置の後方へ退出するドライブスルー方式の洗車装置において、
洗車装置本体の前面より前方で且つ洗車装置本体の内面より内側に突出した位置に、略垂直で自動車のドアミラーの位置に相当する高さ範囲に設けられた棒状体と、該棒状体に設けられる発光素子と、前記棒状体に自動車のドアミラー等が接触すると棒状体が変位するよう支持する支持手段と、前記棒状体の変位を検出して信号出力する変位検知手段と、前記受付ユニットにおいて洗車入力があると前記発光素子を点灯操作し、また前記変位検知手段からの信号に基づき洗車動作の一部又は全部を停止させるよう制御する制御手段とを設けたことを特徴とする洗車装置。
【請求項２】
自動車を跨ぐように走行する門型の洗車装置本体に放水装置等を備え、洗車装置本体の走行に伴い自動車の車体面を洗浄する洗車装置において、
洗車装置本体の前面より前方で且つ洗車装置本体の内面より内側に突出した位置に、略垂直で自動車のドアミラーの位置に相当する高さ範囲に設けられた棒状体と、該棒状体に設けられる発光素子と、前記棒状体に自動車のドアミラー等が接触すると棒状体が変位するよう支持する支持手段と、前記棒状体の変位を検出して信号出力する変位検知手段と、洗車装置本体へ向けて進入する自動車を検出する自動車検出手段と、該自動車検出手段からの信号に基づき前記発光素子を点灯操作し、また前記変位検知手段からの信号に基づき洗車動作の一部又は全部を停止させるよう制御する制御手段とを設けたことを特徴とする洗車装置。
【請求項３】
自動車を跨ぐように走行する門型の洗車装置本体に放水装置等を備え、洗車装置本体の走行に伴い自動車の車体面を洗浄する洗車装置において、
洗車装置本体の前面より前方で且つ洗車装置本体の内面より内側に突出した位置に、略垂直で自動車のドアミラーの位置に相当する高さ範囲に設けられた棒状体と、該棒状体に設けられる発光素子と、前記棒状体に自動車のドアミラー等が接触すると棒状体が変位するよう支持する支持手段と、前記棒状体の変位を検出して信号出力する変位検知手段と、該変位検知手段からの信号に基づき洗車動作の一部又は全部を停止させると共に、前記発光素子を点灯操作するよう制御する制御手段とを設けたことを特徴とする洗車装置。
【請求項４】
請求項１乃至３いずれかに記載の洗車装置において、前記棒状体は透光性の素材により筒状に構成され、該棒状体の内部に前記発光素子を配置したことを特徴とする洗車装置。
【請求項５】
請求項１乃至３いずれかに記載の洗車装置において、前記制御手段では、発光素子の点灯・消灯の切換、点灯パターンの変更、発光色の切換などにより点灯操作して、ドアミラー等の検出又は洗車入力に基づいた表示をすることを特徴とする洗車装置。
【発明の詳細な説明】
【技術分野】
【０００１】
この発明は、自動車を跨ぐように走行する門型の洗車装置本体に散水装置等を備え、洗車装置本体の走行に伴い自動車の車体面を洗浄する洗車装置であって、自動車の側面に設けられるドアミラーが直接に洗車装置本体に接触して損傷させることのないよう改良したものに関する。
【背景技術】
【０００２】
従来、この種の洗車装置として、特許文献１に示すように、自動車を跨ぐよう走行する門型の洗車装置本体に、自動車の停止位置のずれを検出して洗車動作を停止し、自動車に洗車装置が衝突（接触）するのを防止した装置が知られている。
【０００３】
また、特許文献２に示すように、自動車の停止位置のずれを上下に広い範囲で検出できるものとし、自動車の車体から突出したドアミラー等をも検出して、その損傷を防止するようにした洗車装置が知られている。
【先行技術文献】
【特許文献】
【０００４】
【特許文献１】実開昭５５−１５５６６５号公報
【特許文献２】特許第３６６２３９３号公報
【発明の概要】
【発明が解決しようとする課題】
【０００５】
上記した特許文献１の洗車装置では、水平に突出した棒状の検出部に触れた車体面を検出するもので、一定高さの車体下部側面を検出できるだけで、車体側面に突出するドアミラーを検出することができず、ドアミラー部を洗車装置本体に接触させて損傷させる恐れがある。
【０００６】
また、特許文献２の洗車装置では、上下に広い範囲で検出できるため、ドアミラーの検出も可能であるが、検出部が洗車本体前面より後方にあるため、検出する以前にドアミラーが本体前面に接触してしまう恐れがある。
【０００７】
更に、上記した従来の洗車装置のいずれにおいても、検出装置が特に人目を引くことなく設けられており、利用者が自動車を乗り入れるにあたり、正しい位置にあるか否かを確認することが難しかった。また、洗車装置が自動車のずれを検出して停止した場合、利用者にとっては何が原因で停止したのか理解し難いという不都合があった。
【０００８】
この発明は、以上の問題点に対処して、自動車側面に突出したドアミラー等を検出し、ドアミラー等が洗車装置本体に接触する前に洗車動作を停止して、ドアミラー等に損傷を与えるのを確実に防止できると共に、洗車を停止した場合に、その状態を利用者に明示できるようにしたものである。
【課題を解決するための手段】
【０００９】
この発明は、洗車装置へ進入する手前に設置され、洗車内容選択、料金投入等の洗車入力を受け付ける受付ユニットを備え、該受付ユニットで受付を終えた自動車が洗車装置の前方から進入し、洗車が終わると自動車は洗車装置の後方へ退出するドライブスルー方式の洗車装置において、洗車装置本体の前面より前方で且つ洗車装置本体の内面より内側に突出した位置に、略垂直で自動車のドアミラーの位置に相当する高さ範囲に設けられた棒状体と、該棒状体に設けられる発光素子と、前記棒状体に自動車のドアミラー等が接触すると棒状体が変位するよう支持する支持手段と、前記棒状体の変位を検出して信号出力する変位検知手段と、前記受付ユニットにおいて洗車入力があると前記発光素子を点灯操作し、また前記変位検知手段からの信号に基づき洗車動作の一部又は全部を停止させるよう制御する制御手段とを設けて、上記課題の解決をはかったものである。
【００１０】
また、上記のように受付ユニットを設けない洗車装置においては、洗車装置本体の前面より前方で且つ洗車装置本体の内面より内側に突出した位置に、略垂直で自動車のドアミラーの位置に相当する高さ範囲に設けられた棒状体と、該棒状体に設けられる発光素子と、前記棒状体に自動車のドアミラー等が接触すると棒状体が変位するよう支持する支持手段と、前記棒状体の変位を検出して信号出力する変位検知手段と、洗車装置本体へ進入する自動車を検出する自動車検出手段と、該自動車検出手段からの信号に基づき前記発光素子を点灯操作し、また前記変位検知手段からの信号に基づき洗車動作の一部又は全部を停止させるよう制御する制御手段とを設けて、課題の解決をはかったものである。
【００１１】
更に、洗車装置本体の前面より前方で且つ洗車装置本体の内面より内側に突出した位置に、略垂直で自動車のドアミラーの位置に相当する高さ範囲に設けられた棒状体と、該棒状体に設けられる発光素子と、前記棒状体に自動車のドアミラー等が接触すると棒状体が変位するよう支持する支持手段と、前記棒状体の変位を検出して信号出力する変位検知手段と、該変位検知手段からの信号に基づき洗車動作の一部又は全部を停止させると共に、前記発光素子を点灯操作するよう制御する制御手段とを設けて、課題の解決をはかったものである。
【００１２】
なお、前記棒状体は透光性の素材により筒状に構成され、該棒状体の内部に前記発光素子を配置することか好ましい。また、前記制御手段では、発光素子の点灯・消灯の切換、点灯パターンの変更、発光色の切換などにより点灯操作して、ドアミラー等の検出又は洗車入力に基づいた表示させるようにして、ドアミラー等の検出又は洗車受付入力があったことを表示するものとすればよい。
【発明の効果】
【００１３】
この発明は、ドアミラーを検出する棒状体を洗車装置本体の前面より前方で且つ洗車装置本体の内側に突出した位置に設けて、ドアミラーが車体本体に接触する前に確実に検出することができ、また棒状体に発光素子を設けて、自動車が洗車装置本体へ進入するに際して点灯させるので、点灯した棒状体を目印に適正な位置に自動車を進入させることができる。更に、ドアミラー等を検出して洗車を停止した場合に、発光素子を点灯操作して利用者にドアミラー等の損傷防止のために停止したことを明示することができ、利用者に不安等を与えることがないといった効果を奏するものである。
【図面の簡単な説明】
【００１４】
【図１】実施例の平面説明図である。
【図２】実施例の側面説明図である。
【図３】実施例の正面説明図である。
【図４】実施例の制御系を示すブロック図である。
【図５】実施例におけるドアミラー検出時の説明図である。
【発明を実施するための形態】
【００１５】
以下、その実施例について図面を基に説明する。
図１は実施例の平面説明図、図２は同実施例の側面説明図、図３は同実施例の正面説明図で、自動車が前方から後方へ通り抜け可能なスペースに設置され、洗車装置本体が前後に往復走行し洗車された自動車が洗車装置本体の後方となる状態で洗浄・乾燥といった洗車動作を終了するドライブスルー式の洗車装置を示している。
【００１６】
１は門型に形成された洗車装置本体で、レール２・２上を往復走行し、レール２・２間に進入する自動車Ａに洗車処理を施す。洗車装置本体１は、レール２・２で与えられる走行範囲を洗車エリアＥとし、洗車エリアＥに進入した自動車Ａに洗浄・乾燥といった洗車処理を施す。
【００１７】
本体１は、図２のように洗車エリアＥの後端部に停止し、この位置から洗車を開始する。本体１には、ブラシ装置３・４・４・５・５，ブロワノズル６・７・７をはじめ散水ノズル８ａ〜８ｃ，液剤タンク（図示しない）等が備えられ、走行に伴って水，洗剤，ワックス等を散布してブラッシングする洗浄作業やブロワノズルより空気を吹き付ける乾燥作業を行う。
【００１８】
ここで、自動車Ａは、図１（Ａ）の矢印で示すように、洗車エリアＥの前方（図面下方）から進入し、図１（Ｂ）に示すように自動車Ａが洗車装置本体１の後方（図面上方）となる状態で洗車が終了し、洗車エリアＥ後方へ退場するようにその経路が設定されている。
【００１９】
前記ブラシ装置は、本体１前側に位置し車体上面に沿って昇降し同上面をブラッシングする上面ブラシ装置３と、該上面ブラシ装置３の下方に位置し車体に対して接離（開閉）動作し主に車体側面下部をブラッシングする左右一対のロッカーブラシ装置４・４と、上面ブラシ装置３およびロッカーブラシ装置４・４の後方に位置し車体に対して接離（開閉）動作し車体の前後面および側面をブラッシングする左右一対の側面ブラシ装置５・５とからなる。なお、上記ブラシ装置３・４・４・５・５は散水ノズル８ａ〜８ｃと共にブロワノズル６・７・７より本体１前側にあって、洗浄部Ｓを形成している。
【００２０】
また、前記ブロワノズルは、各ブラシ装置３・４・４・５・５の後方にあって、車体上面に沿って昇降し同上面に空気を吹き付けて乾燥をはかる上面ブロワノズル６と、該上面ブロワノズル６より更に本体１後方に位置し車体側面に空気を吹き付けて乾燥をはかる左右一対の側面ブロワノズル７・７とからなり、本体１の後側に乾燥部Ｄを形成している。
【００２１】
９は本体１の洗浄部Ｓの後方で乾燥部Ｄの手前に位置しブラシ装置および散水ノズルから飛散する水がブロワノズルのある乾燥部Dへ至らぬように遮断するシャッター体である。シャッター体９は、図示しないモータにより駆動されて昇降するもので、その下端部に取り付けられる車体検出器で自動車の車体を検出して、車体と非接触で昇降動作する。
【００２２】
１０はレール２・２で与えられる本体１走行範囲に入る手前で自動車の運転席から操作可能な高さに設けられる受付ユニット、１１は自動車の本体１走行範囲への進入を禁止／許可する遮断機で、受付ユニット１０で料金投入や洗車内容の選択入力等の操作を受け付け、この洗車受付があり且つ本体１が先行車両の洗車中でなければ遮断機１１を開き本体１走行範囲への進入を可能にする。１２は受付ユニット１０に付設される車体検出器で、超音波や赤外線等を利用した公知のセンサからなり、受付ユニット１０近くの所定範囲すなわち操作可能位置へ自動車が接近したのを検出する。
【００２３】
１３は洗車装置本体１の前端部に設けられる車体検出器で、発光器と受光器を対向させた公知の光電スイッチからなり、自動車が本体１走行範囲の所定の洗車位置まで進入したのを検出する。１４は洗車装置本体１後端に設けられる車体検出器で、検出器１２と同様な超音波や赤外線等を利用した公知のセンサからなり、洗車装置本体１後方の所定範囲に自動車等が存在するか否かを検出する。
【００２４】
１５は洗車装置本体の前面より前方で且つ洗車装置本体の内面より内側に突出した位置に左右一対で設けられた棒状体で、略垂直で自動車のドアミラーの位置に相当する高さ範囲に設置されている。１６は該棒状体１５・１５を揺動自在に支持する支持部で、棒状体１５・１５が自動車のドアミラーや車体に接触することで、棒状体１５・１５を前後に変位させる。１７は棒状体１５・１５の変位を検知する変位検知器で、棒状体１５・１５へのドアミラーや車体の接触を検知して信号出力する。
【００２５】
図４は実施例の制御系を示すブロック図で、２０はマイクロコンピュータを備えた制御部、２１は各部の駆動回路である。制御部２０は、受付ユニット１０において洗車を受け付け、前記近接スイッチ３ｂや車体検出器１２・１３・１４をはじめ図示しないその他の各種センサ等からの信号に基づき予めプログラムされたシーケンスに従って、洗車装置本体１の走行，ブラシ３・４・４・５・５およびブロワノズル６・７・７の作動，散水ノズル８ａ〜８ｃからの放水，シャッター体９の昇降等を駆動回路２１を介して制御する。特に、駆動回路２１は、ブラシ３・４・４・５・５を車体に沿って昇降・開閉動作させると共に、ブラシの回転方向をプログラムに従って切り換える。
【００２６】
前記棒状体１５・１５は透明な合成樹脂を素材とした筒材からなり、複数の発光素子１８を内蔵している。発光素子１８は、上下に配列されており、その点灯により棒状体１５・１５の全体が発光するよう構成される。また、発光素子１８は、ＲＧＢ３色の発光チップを有し複数の発光色で点灯可能なＬＥＤからなり、制御部２０からの信号により発光駆動部２１ａを介して点灯操作され、発光素子の点灯・消灯の切換、点灯パターンの変更、発光色の切換などにより、洗車装置における複数の状態を点灯表示させるほか、洗車休止状態であっても、所定のパターンで点灯させ周囲に向けたアイキャッチを図ることができる。
【００２７】
受付ユニット１０には、利用者が洗車料金を投入する料金投入部２２、複数の洗車メニューから好みのメニューを選択する洗車内容選択キー２３および選択したメニューの洗車を開始入力する洗車開始キー２４を備えている。
【００２８】
以上の構成からなる洗車装置における洗車動作について以下に説明する。洗車装置本体１は通常、図１（Ａ）に示すように、レール２，２後方の洗車開始位置に停止している。自動車が受付ユニット１０への操作入力が可能な位置まで進入すると、これを車体検出器１２で検出し受付ユニット１０が受付状態になる。ここで、利用者が洗車料金の投入や希望する洗車メニューの選択を行い、開始キー２４により洗車開始入力があると、遮断機１１を開く共に、棒状体１５・１５において発光素子１８を例えば青色に点灯させ、自動車の入場を可能にする。
【００２９】
ここで、利用者がレール２・２間に自動車を乗り入れ、発光した棒状体１５・１５を目印として、自動車を棒状体１５・１５の間へ進入させ、洗車装置本体１に対する所定の洗車位置へ停止させる。ここで、制御部２０では、車体検出器１３により自動車が所定の洗車位置へ入場したことを検知すると、棒状体１５・１５の発光色を例えば赤色に変更して自動車の停車を促し、洗車を開始する。
【００３０】
洗車が開始されると、棒状体１５・１５を明るい白色に発光させ洗車動作中であることを周囲へ表示しつつ、装置本体１を前方へ往行させ、まず散水ノズル８ａ・８ｂより洗浄水を放出し、上面ブラシ３を駆動して下降させロッカーブラシ４・４を駆動して車体側面下部に押しつけるようにして、車体上面および側面下部のブラッシング洗浄を開始する。また、シャッター体９が下限位置まで降下されて、開始された洗浄動作に伴う洗浄水等の飛散を防止する。
【００３１】
続いて、側面ブラシ５・５が駆動して装置本体１中央に向けて閉じるよう動作し、この閉じた状態の側面ブラシ５・５に自動車前端が触れると、これを検出して装置本体１の往行を一旦停止し、ここで散水ノズル８ｃの洗浄水放出を伴って側面ブラシ５・５が開いて車体前面のブラッシング洗浄を行う。これと前後してブロワノズル６・７・７より送風を開始する。
【００３２】
側面ブラシ５・５が開いて車体前面の洗浄を終えると、装置本体１の往行を再開させ車体上面および側面下部のブラッシング洗浄を続行させると共に、側面ブラシ５・５を車体側面に押しつけて同側面のブラッシング洗浄を行う。走行再開に伴い、車体は順次乾燥部Ｄへ至り車体面の水分除去がはかられる。ここでシャッター体９は車体形状に沿って昇降し洗浄部Ｓから乾燥部Ｄへ洗浄水等が飛散しないよう遮断する。
【００３３】
制御部２０では、装置本体１の走行に伴い車体検知器１３等で検出する車体位置と走行距離とを検出して車体の位置・長さを検知し、この検知したデータに基づき各ブラシおよび散水ノズルが車体後端から外れるタイミングを推定して順次にその動作を停止する。また、全ブラシの駆動および散水ノズルからの放水が停止されるまでシャッター体９が降ろされ、車体上方の空間をシャッターで遮断する。
【００３４】
乾燥部Ｄにおいて、上面ブロワノズル６は車体上面に沿って昇降し側面ブロワノズル７・７を車体側面に沿って出没するよう動作する。このブロワノズルの駆動も前記検知データに基づいて制御され、ブロワノズルが車体後端位置に達すれば動作を停止する。また、シャッター体９は、全ブラシの駆動および散水ノズルからの放水が停止され、前記検知データに基づき車体後端がシャッター体９の位置を通過したことが確認されると、上方の待機位置へ巻き上げられる。
【００３５】
こうして、本体１が往行するのに伴いブラッシング洗浄と乾燥処理とを同時進行で行って洗車を完了することができ、図１（Ｂ）の状態で洗車動作が終了する。
【００３６】
ここで制御部２０では、図示しない退場誘導灯を点灯して洗車した自動車の退場を促し、これに応えて自動車が退場して装置本体１後端から離れたことを車体検出器１４で検知すると、棒状体１５・１５を白色に点滅させて周囲に注意を促しつつ、装置本体１を後方へ復行させる。装置本体１の復行に伴い洗車開始位置まで後退すると、装置本体１の復行を停止する。
【００３７】
こうして、一連の動作を完了し、洗車装置本体１は次の洗車動作が実行可能な状態に復帰する。洗車終了すると、棒状体１５・１５は消灯されるが、ここで洗車待機中にアイキャッチを行うようモード設定されている場合は、洗車休止状態であっても、所謂イルミネーションとして棒状体１５・１５を所定のパターンで点灯させ周囲に向けたアイキャッチを図ることができる。
【００３８】
図５は実施例におけるドアミラー検出時の説明図で、上記のような洗車動作中に棒状体１５・１５に自動車Ａ側面のドアミラーＤが接触した状態を示している。ドアミラーＤが接触し棒状体１５・１５が押されて変位し、これを変位検知器１７で検出すると、直ちに洗車装置本体１の走行および洗浄動作が停止され、図示しない警報装置から警報音が出力されると共に、発光駆動部２１ａにより接触した側の棒状体１５が赤色で点滅し、異常状態を明示する。ここで、利用者が気がついてドアミラーＤを折りたたむ等の操作で棒状体１５との接触を解消できれば、棒状体１５の点灯を正常な状態に復帰させて洗車動作を再開することができる。なお、異常状態を解消できなければ、自動車を一旦後退させた後に適正な位置に停車し直してから、洗車を最初からやり直すことになる。
【００３９】
この実施例は以上のように構成され、洗車装置本体１の前面に棒状体１５・１５を設け、ドアミラーや車体との接触を検知して洗車動作を停止させて自動車の損傷を防止すると共に、棒状体１５・１５を発光させて自動車進入時の位置案内をしたり、ドアミラー等の接触時に異常表示したりできるものである。なお、洗車装置の近くに人が居るような場合でも、棒状体１５・１５に接触すれば素早く洗車動作を停止できるので、人体を傷つけることもない。なお、実施例では洗車装置本体１の前面だけに棒状体を設けているが、本体１後面にも取り付けるようにすれば、一層安全性を高めることができる。
【００４０】
実施例は上記のものに限らず、他にも公知の技術の範囲で様々のものが考えられる。例えば、上記ではドライブスルー式の洗車装置について記載したが、特許文献１、２に記載されるような、自動車に対して往復走行して洗浄と乾燥とを順次に行う装置にも全く同様に適用できる。この場合は、洗車装置本体に向けて進入する自動車を検出する手段を設けて、進入する自動車を検知したら棒状体を発光させて進入の案内をさせるようにすればよい。
【符号の説明】
【００４１】
１  洗車装置本体
１０  受付ユニット
１５・１５  棒状体
１６・１６  支持手段
１７・１７  変位検知手段
１８  発光素子
２０  制御手段たる制御部
２１ａ  発光駆動部
【図１】
2018103919.tif 000003
【図２】
2018103919.tif 000004
【図３】
2018103919.tif 000005
【図４】
2018103919.tif 000006
【図５】
2018103919.tif 000007